(57)【特許請求の範囲】
【請求項１】
レリーズ操作により被写体像を取り込んで画像データに変換し、画像を得る撮像装置において、
シナリオによる画像撮影モードを有するとともに、
複数のシナリオとそのシナリオを説明するための文字ガイダンスを含むシナリオ用データベースと、
前記文字ガイダンスを補正するための台詞補正用データベースと、
画像認識手段と、
を有し、
シナリオによる画像撮影モード時に、
前記シナリオ用データベースに記憶されているシナリオを選択する手段と、
前記画像認識手段により被写体から演者を指定する手段と、
前記演者と前記シナリオの文字ガイダンスとを対応付ける手段と
前記対応付けられた文字ガイダンスを前記台詞補正用データベースから補正文字列を取り出して補正する手段と、
前記レリーズ操作時に、前記演者と前記補正された文字ガイダンスが関連付けられて生成された撮像画像を記録媒体に記録する手段と、
を備えたことを特徴とする撮像装置。
【請求項２】
前記生成された撮像画像をウエブサイトに送信する手段を備えたことを特徴とする請求項１記載の撮像装置。
【請求項３】
レリーズ操作により被写体像を取り込んで画像データに変換し、画像を得るシナリオによる画像撮影方法において、
シナリオによる画像撮影モードを有するとともに、
複数のシナリオとそのシナリオを説明するための文字ガイダンスを含むシナリオ用データベースと、
前記文字ガイダンスを補正するための台詞補正用データベースと、
画像認識手段と、
を有し、
シナリオによる画像撮影モード時に、
前記シナリオ用データベースに記憶されているシナリオを選択し、
前記画像認識手段により被写体から演者を指定し、
前記演者と前記シナリオの文字ガイダンスとを対応付け、
前記対応付けられた文字ガイダンスを前記台詞補正用データベースから補正文字列を取り出して補正し、
前記レリーズ操作時に、前記演者と前記補正された文字ガイダンスが関連付けられて生成された撮像画像を記録媒体に記録する
ことを特徴とするシナリオによる画像撮影方法。
【請求項４】
レリーズ操作により被写体像を取り込んで画像データに変換し、画像を得るシナリオによる画像撮影モードを有するとともに、複数のシナリオとそのシナリオを説明するための文字ガイダンスを含むシナリオ用データベースと、前記文字ガイダンスを補正するための台詞補正用データベースと、画像認識手段とを有する撮像装置のシナリオによる画像撮影プログラムにおいて、
前記シナリオ用データベースに記憶されているシナリオを選択するステップと、
前記画像認識手段により被写体から演者を指定するステップと、
前記演者と前記シナリオの文字ガイダンスとを対応付けるステップと、
前記対応付けられた文字ガイダンスを前記台詞補正用データベースから補正文字列を取り出して補正するステップと、
前記レリーズ操作時に、前記演者と前記補正された文字ガイダンスが関連付けられて生成された撮像画像を記録媒体に記録するステップと、
を有することを特徴とするプログラム。
【発明の詳細な説明】
【技術分野】
【０００１】
本発明は、デジタルカメラ等の撮像装置を用いて、シナリオに基づいて各シーン（カット）ごとの演者に台詞を対応付けた画像を撮影するシナリオによる画像撮影技術に関する。
【背景技術】
【０００２】
動画の中の一つながりの断片部分であるシーンのそれぞれについての撮影指南情報を含むシナリオデータを保持するシナリオデータ保持手段と、前記撮像手段を用いて行われる動画の各シーンの撮影時に前記シナリオデータの該当シーンの撮影指南情報を表示する表示手段とを備え、ストーリー性に優れ且つ完成度が高い動画撮影を可能にする動画記録装置がある（例えば、特許文献１参照）。
【０００３】
また、受信した音声データを文字データに変換し、同時に受信した画像の口元に文字列を表示する画像表示装置がある（例えば、特許文献２参照）。
【０００４】
【特許文献１】特開２００６−１７４３１８号公報
【特許文献２】特許第３７１１４１８号
【発明の開示】
【発明が解決しようとする課題】
【０００５】
しかしながら、上記特許文献１に開示の動画記録装置では、撮影者は自分の撮影目的により合致したシナリオを選んで撮影を行うことができ、撮影時には、時間軸に沿って撮影指南情報として台本やシナリオを文字ガイダンスやイラストガイダンスを表示するだけでなく、シナリオに基づいて撮影条件を制御できるのでので、ストーリー性に優れた完成度の高い動画撮影を行うことができるが、被写体（人物や動物等）に台詞を与え、その台詞を被写体に自動的、且つ視覚的に関連付けて画像中に表示することができなかった。
【０００６】
また、上記特許文献２に開示の技術によれば、被写体人物の発言を被写体画像の口元に吹き出し風に文字表示できるので、被写体（人物）の主張や気持ちを可視的に伝えることができるが、撮影者がシナリオに沿った発言を被写体に割り当てて紙芝居風に画像のストーリー性を高めるといったことができなかった。
【０００７】
本発明は、カメラ視野内の被写体のうち演者（人物や動物、および人物や動物として擬制されたものをいう）を選ぶと、選択したシナリオに応じて自動的に演者の台詞を演者に対応付けて表示する撮像装置、シナリオによる画像撮影方法、およびプログラムの提供を目的とする。
【０００８】
また、更に、本発明は、選択したシナリオに応じて自動的に演者に対応付けて（例えば、吹き出し文字として）表示される演者の台詞をカット単位で補正（台詞の追加、置換、部分的修正）できる撮像装置、シナリオによる画像撮影方法、およびプログラムの提供を目的とする。
【課題を解決するための手段】
【０００９】
前記課題を解決するために請求項１記載の発明では、レリーズ操作により被写体像を取り込んで画像データに変換し、画像を得る撮像装置において、シナリオによる画像撮影モードを有するとともに、複数のシナリオとそのシナリオを説明するための文字ガイダンスを含むシナリオ用データベースと、前記文字ガイダンスを補正するための台詞補正用データベースと、画像認識手段と、を有し、シナリオによる画像撮影モード時に、前記シナリオ用データベースに記憶されているシナリオを選択する手段と、前記画像認識手段により被写体から演者を指定する手段と、前記演者と前記シナリオの文字ガイダンスとを対応付ける手段と、前記対応付けられた文字ガイダンスを前記台詞補正用データベースから補正文字列を取り出して補正する手段と、前記レリーズ操作時に、前記演者と前記補正された文字ガイダンスが関連付けられて生成された撮像画像を記録媒体に記録する手段と、を備えたことを特徴とする撮像装置を提供するものである。
【００１０】
前記課題を解決するために請求項２記載の発明では、前記生成された撮像画像をウエブサイトに送信する手段を備えたことを特徴とする請求項１記載の撮像装置を提供するものである。
【００１１】
前記課題を解決するために請求項３記載の発明では、レリーズ操作により被写体像を取り込んで画像データに変換し、画像を得るシナリオによる画像撮影方法において、シナリオによる画像撮影モードを有するとともに、複数のシナリオとそのシナリオを説明するための文字ガイダンスを含むシナリオ用データベースと、前記文字ガイダンスを補正するための台詞補正用データベースと、画像認識手段と、を有し、シナリオによる画像撮影モード時に、前記シナリオ用データベースに記憶されているシナリオを選択し、前記画像認識手段により被写体から演者を指定し、前記演者と前記シナリオの文字ガイダンスとを対応付け、前記対応付けられた文字ガイダンスを前記台詞補正用データベースから補正文字列を取り出して補正し、前記レリーズ操作時に、前記演者と前記補正された文字ガイダンスが関連付けられて生成された撮像画像を記録媒体に記録することを特徴とするシナリオによる画像撮影方法を提供するものである。
【００１２】
前記課題を解決するために請求項４記載の発明では、レリーズ操作により被写体像を取り込んで画像データに変換し、画像を得るシナリオによる画像撮影モードを有するとともに、複数のシナリオとそのシナリオを説明するための文字ガイダンスを含むシナリオ用データベースと、前記文字ガイダンスを補正するための台詞補正用データベースと、画像認識手段とを有する撮像装置のシナリオによる画像撮影プログラムにおいて、前記シナリオ用データベースに記憶されているシナリオを選択するステップと、前記画像認識手段により被写体から演者を指定するステップと、前記演者と前記シナリオの文字ガイダンスとを対応付けるステップと、前記対応付けられた文字ガイダンスを前記台詞補正用データベースから補正文字列を取り出して補正するステップと、前記レリーズ操作時に、前記演者と前記補正された文字ガイダンスが関連付けられて生成された撮像画像を記録媒体に記録するステップと、を有することを特徴とするプログラムを提供するものである。
【発明の効果】
【００１８】
本発明によれば、シナリオデータがシーン及び演者に対応付けた台詞を含んでいるので、撮影過程において、ユーザが指定した被写体像（演者像（以下、単に演者と記す））と対応させて台詞文字を表示でき、選択したシナリオに応じたよりストーリー性のある紙芝居的な一連の画像を得ることができる。
【発明を実施するための最良の形態】
【００２２】
本発明において、演者とは人物や動物、および人物や動物として擬制された被写体をいう。本発明の撮像装置は、撮影時にシナリオおよびシーン（カット）を選択したあと、モニタ画面に表示される画像（演者）を指定（同じシナリオの演者は一回のみ指定）すると自動的に演者の台詞を（例えば、吹き出し文字として）演者に対応付けて表示したり、表示されている台詞を補正できる。
本発明は、撮像機能を備えた機器、例えば、デジタルカメラやカメラ付き携帯電話、カメラ付き携帯情報機器（ＰＤＡ（Personal Digital Assistant））などに適用できる。以下、図面を参照して本発明の実施形態について説明する。
＜実施形態１＞
【００２３】
図１は、本発明の実施形態に係わる撮像装置の一実施例として用いるデジタルカメラ１００の電子回路の構成例を示すブロック図である。
【００２４】
デジタルカメラ１００は、制御部１０、撮像部１１、画像データ処理部１２、画像認識処理部１３、プログラム格納メモリ１５、一次記憶メモリ１６、画像表示部１７、画像記録部１８、シナリオ用データベース２０、外部入出力部４０、操作部６０を備えており、本発明に基づくシナリオによる画像撮影モード（機能）を含む静止画撮影モードおよび動画撮影モード、および公知のオートフォーカス機能等を備えている。撮像部１１および画像データ処理部１２は本発明の撮像系を構成する。また、台詞補正用データベース１４を備えるようにしてもよい。
【００２５】
制御部１０は、デジタルカメラ１００全体の制御動作を司るものであり、ＣＰＵ若しくはＭＰＵ（以下、ＣＰＵ）と、該ＣＰＵで実行される動作プログラム等を記憶したフラッシュメモリ等のプログラム格納メモリ、及びワークメモリとして使用されるＲＡＭ等により構成されている。また、制御部１０は画像データ処理部１２からの画像データ（輝度及び色差信号）のＤＲＡＭ等の一次記憶メモリ１６へのＤＭＡ転送終了後に、この輝度及び色差信号を一次記憶メモリ１６から読出し、画像表示部１７の表示用バッファ１７１に書き込むよう制御する。
【００２６】
撮像部１１は、撮影レンズのほか、基本モードである撮影モードにおいてズームレンズを移動させて光学ズーム動作を行わせるズーム駆動部やフォーカスレンズを移動させて合焦動作を行わせるＡＦ駆動部等を含むレンズ駆動系（図示せず）と、撮像素子、信号変換部、撮像タイミング制御部や撮影補助光源等を含む撮像信号系（図示せず）を有しており、撮像レンズを経由し、撮像レンズの撮像光軸後方に配置された撮像素子に入射した被写体光像は撮像素子によって光電変換され撮像信号（アナログ）として出力される。撮像素子の出力信号は信号変換部で相関二重サンプリングおよびゲイン調整され、Ａ／Ｄ変換によりデジタル信号に変換される。Ａ／Ｄ変換された撮像信号は所定の周期で画像データ処理部１２に送られる。撮像素子は、被写体の二次元画像を撮像するＣＭＯＳ（Complementary Metal Oxide Semiconductor）などの固体撮像デバイスであり、典型的には毎秒数十フレームの画像を撮像する。なお、撮像素子はＣＭＯＳに限定されない。
【００２７】
画像データ処理部１２は、撮像部１１から出力されたデジタル信号（画像データ）に対して画像補間処理及びγ補正処理を含むカラープロセス処理を行ってデジタル値の輝度信号Ｙ及び色差信号Ｃｂ、Ｃｒを生成し、ＤＲＡＭ等の一次記憶メモリ１６にバス９０を介してＤＭＡ転送する。
【００２８】
画像認識処理部１３は、シナリオによる画像撮影モード時に、一次記憶メモリ１６に記憶されている１フレーム分の画像データの中から演者として指定された画像の特定部分領域（例えば、演者が人物や動物の場合は顔画像領域）から特定部分の画像データ（以下、特定部分）を抽出しバス９０を介して制御部１０に送出する。また、抽出した特定部分と表示されている画像の特定領域内の画像を比較して類似判定により、表示されている画像のなかに演者の画像があるか否かを判定する。
【００２９】
人物等の顔画像領域の抽出処理は、公知の技術（例えば、特開平２００４−１４５５６３号公報に記載の技術）を適宜用いることができる。なお、この特定部分の認識処理のために専用の回路を設けてもよいし、プログラム格納メモリ１５等のメモリに画像認識処理のための画像認識処理プログラムを格納しておき、制御部１０で画像認識処理プログラムを実行させるようにしてもよい。
【００３０】
台詞補正用データベース１４は単語や接頭語、接尾語等を検索可能に格納してなり、演者に対応付けられて表示された台詞（文字列）に撮影者が文字を追加したり、一部を訂正したり、台詞全体を置換したりする場合（以下、補正という）する場合に、補正用に入力（または指定）されたキーによって検索される。
【００３１】
プログラム格納メモリ１５は、本発明に基づくシナリオによる画像撮影プログラムや、撮像制御プログラム、画像処理プログラム、通信制御プログラム等の各種プログラムを格納し、処理段階に応じて呼び出され制御部１０によって実行される。プログラム格納メモリ１５に格納されるプログラムの機能等については後述する（図２の説明参照）。また、上述した画像認識処理部３３を設けることなくプログラム格納メモリ１５に画像認識処理のための画像認識処理プログラムを格納するようにしてもよい。
【００３２】
一次記憶メモリ１６はＤＲＡＭ等のメモリで構成され、画像データ処理部１２から取得する画像データを一時記憶するバッファメモリや、画像認識処理部１３による演者の顔画像抽出処理用のワークメモリや、本発明のシナリオによる画像撮影方法に基づくシナリオによる画像撮影用のワークメモリ等、各種プログラムによるデータ処理に必要なワークメモリとして用いられる。
【００３３】
シナリオによる画像撮影モードにおいて、一次記憶メモリ１６には、画像撮影時に用いられる部分領域として、画像認識処理部１３による認識処理の際、演者から抽出された特定部分（たとえば、人物や動物の場合は顔）の特徴データを保持する特徴データ保持領域１６１および演者に関連付けて合成する吹き出し枠の吹き出し位置、サイズ、および吹き出し文字列等を保持しておく文字列保持領域１６２がそれぞれ複数個確保される。
【００３４】
画像表示部１７はＶＲＡＭ等の表示バッファ１７１や、表示制御部１７２及び液晶モニタ液晶モニタ１７３を有し、制御部１０の制御下で表示用バッファメモリに書き込まれた上記輝度及び色差信号を表示制御部を介して定期的に読み出し、これらのデータを基にビデオ信号を生成して上記液晶モニタ１７３に出力する。
【００３５】
画像記録部１８は、画像データの圧縮または伸張を行うデータ圧縮伸張部、ＤＲＡＭ等のバッファメモリから転送されるデータの記録媒体１９への書き込みや記録媒体１９からの読み出しを行うコントローラ（図示せず）から構成されている。
【００３６】
記録媒体１９は内蔵メモリ（フラッシュメモリ）や光ディスク、あるいは着脱可能なメモリーカード等の書き換え可能な記録媒体からなり画像記録部１８によって書き込まれた撮影画像データや、シナリオによる撮影画像や、撮像情報等を保存記録する。また、シナリオ用データベース２０を記録媒体１９に予め格納しておくようにしてもよい。
【００３７】
シナリオ用データベース２０は、演者に関連付けて表示する文字列を所定の分類基準に基づいて簡易に検索可能に構成されており、シナリオ用データベース２０に格納されている台詞データ（文字列）は撮影時に、選択されたシナリオのシーン（カット）ごとに自動的に演者に対応付けられて表示される。シナリオ用データベース２０の構成例等については後述する（図３の説明参照）。
【００３８】
外部入出力部４０は、デジタルカメラ１００とＵＳＢケーブル等の接続手段やインターネット等の通信ネットワークによりデジタルカメラ１００に接続する外部装置との間で画像データやプログラム等を入出力する際の入出力インターフェィス等からなる。
【００３９】
操作部６０は、モードダイアル６１、カーソルキー６２、ＳＥＴキー６３、シャッターキー６５、メニューキー６６、および電源ボタン６９等のキーと、それらのキーが操作されると操作されたキーの操作信号を生成して制御部１０に送出するキー処理部（図示せず）等から構成されている。
【００４０】
モードダイアル６１は撮影モードや再生モードの選択を行うものである。ユーザはモードダイアル６１を操作して、各種撮影モードのほか本発明に基づくシナリオによる画像撮影モードを選択することができる。シナリオによる画像撮影モードは静止画撮影モードまたは動画撮影モード下で表示される処理選択メニューで選択できる。なお、モードダイアル６１でシナリオによる画像撮影モードを選択できるように構成してもよい。
【００４１】
カーソルキー６２はモード設定やメニュー選択等に際して液晶モニタ１７３に表示されるメニューやアイコン等をカーソルでポイント（指定）する際に操作するキーであり、カーソルキー６２の操作によりカーソルを上下又は左右に移動させることができる。
ＳＥＴキー６３はカーソルキー６２によってカーソル表示されている項目を選択設定する際に押されるキーである。また、シナリオによる画像撮影モード時には液晶モニタ１７３の中央部分（フォーカス領域）にある画像を演者として指定する演者指定キーとして機能させることもできる。
【００４２】
シャッターキー６５は、撮像時にレリーズ操作を行うもので、２段階のストロークを有しており、１段目の操作（半押し状態）でオートフォーカス（ＡＦ）と自動露出（ＡＥ）を行わせるための合焦指示信号を発生し、２段目の操作（全押し状態）で撮像処理を行うための撮像指示信号を発生する。なお、シナリオによる画像撮影モード下では２段目の操作（全押し状態）があると、撮影処理が行われ、演者と文字列が関連付けられて記録媒体に記録される。
また、シナリオによる画像撮影モード時には、上述したＳＥＴキー６３に代えて、液晶モニタ１７３の中央部分（フォーカス領域）にある画像を演者として指定する演者指定キーとして機能させるようにしてもよい。
【００４３】
メニューキー６６は、その時点で処理可能な選択メニューやアイコンを表示する場合に操作されるキーである。
【００４４】
図２はプログラム格納メモリ１５に格納されているプログラムの例を示す図であり、図示の例ではプログラム格納メモリ１５には、撮像制御プログラム１５１、画像処理プログラム１５２、通信制御プログラム１５３、および本発明に基づくシナリオによる画像撮影プログラム１５４等が格納されている。また、画像認識処理部１３として専用の回路を設けない場合は、プログラム格納メモリ１５に画像認識処理のための画像認識処理プログラム１５５を格納するようにしてもよい。
なお、プログラムを格納するメモリはプログラム格納メモリ１５に限定されない。プログラムはその構成や使用目的に応じてプログラム格納メモリ１５以外のメモリ（例えば、記録媒体１９）に格納される。また、プログラムはその構成や使用目的に応じて外部入出力部４０を介してダウンロードして実行することもできる。
【００４５】
撮像制御プログラム１５１は、いくつかのサブプログラムからなり、制御部１０がレンズ駆動系や撮像信号系の動作制御や各種プログラムの実行タイミングの制御等を行うように機能する。画像処理プログラム１５２は、いくつかのサブプログラムからなり、画像データ処理部１２の動作制御や画像表示時の画像処理、画像記録／読み出し時の画像圧縮／伸張処理等を行うように機能する。通信制御プログラム１５３は、いくつかのサブプログラムからなり、外部入出力部４０によるデジタルカメラ１００と外部装置との間での画像データやプログラム等の送受信を制御するように機能する。また、本発明により生成されたシナリオによる撮影画像をインターネット上のウエブサイトに送信するよう機能することもできる。
【００４６】
シナリオによる画像撮影プログラム１５４は、撮影時にスルー表示されるカメラ視野内の被写体（演者）を選ぶと、演者の台詞（文字列）を出力し、演者とその台詞を視覚的に関連付けて表示してなるシナリオによる撮影画像を生成する。シナリオによる画像撮影プログラム１５４の動作例については後述する（図７参照）。
【００４７】
（シナリオ用データベース）
図３は、シナリオ用データベース２０の概念図である。シナリオ用データベース２０は、たとえば、シナリオテーブル２１、シーンテーブル２２及びカットテーブル２３の三つのテーブルを結合させたリレーショナル構造とすることができる。リレーショナル構造としたとき、シナリオテーブル２１は、ユニークなシナリオ識別情報（ＩＤ）を格納するシナリオＩＤフィールド２４、そのシナリオの名前（シナリオ名）を格納するシナリオ名フィールド２５及びそのシナリオの内容を説明するための文字ガイダンス２６ａやイラストガイダンス２６ｂからなるシナリオガイダンスを格納するシナリオガイダンスフィールド２６を含み、シーンテーブル２２は、シナリオテーブル２１との連結用参照ＩＤを格納する参照ＩＤフィールド２２−１、ユニークなシーン識別情報（ＩＤ）を格納するシーンＩＤフィールド２２−２、シーンの名前（シーン名）を格納するシーン名フィールド２２−３を含み、カットテーブル２３は、シーンテーブル２２との連結用参照ＩＤを格納する参照ＩＤフィールド２３−１、ユニークなカット識別情報（ＩＤ）を格納するカットＩＤフィールド２３−２、そのカットの名前（カット名）を格納するカット名フィールド２３−３、そのカットの内容を説明するための文字ガイダンス２３−４ａやイラストガイダンス２３−４ｂからなるカットガイダンスを格納するカットガイダンスフィールド２３−４、そのカットにおける各演者の台詞データ（文字列）を格納する台詞フィールド２３−５、そのカットの撮影に適した撮影条件データを格納する撮影条件データフィールド２３−６を含む。
【００４８】
撮影条件フィールド２３−６に格納される撮影条件データは、絞り、被写界深度、画角、ズーム倍率、画像のボケ具合、露出、ホワイトバランス又は自動手ブレ補正の制御データである。制御部１０は各シーンの撮影条件データに基づいて、当該シーンにおける撮影動作を制御することができる。
【００４９】
シーン（Scene）とは、映像のストーリの中で、ある特定の同一地点や同一の動きのまとまりのある部分のことをいう。一般的に複数のカット（Cut）で構成されることが多い。カットは、映像の構成単位とみられる画像の一つながりの断片を指す編集用語。カメラが回り始めてから止まるまでに撮影された一つながりの断片をいう。ショット（Shot）ともいう。
【００５０】
通常、映画や放送などの分野ではシーンとカットを厳密に区別しているが、どちらも、概念的には「動画の中の一つながりの断片部分」であるので、ホームビデオなどのパーソナル用途では区別しないことも多い。本実施形態では一応、シーンとカットを区別するが、同義語として取り扱っても構わない。つまり、シーンテーブル２２とカットテーブル２３に分けているが、シーンテーブル２２を用いずに、シナリオテーブル２１とカットテーブル２３を一つのテーブルにまとめても構わない。この場合、カットテーブル２３は“シーン／カットテーブル”となり、また、それを構成するカットＩＤフィールド２３−２やカット名フィールド２３−３及びカットガイダンスフィールド２３−４の各々の用語（“カット”）は“シーン／カット”と読み替えられる。
【００５１】
図４〜図６は、シナリオ用データベース２０からのデータ取り出し概念図である。便宜的に、三つのシナリオ（Ａ、Ｂ、Ｃ）を考える。シナリオＡは二つのシーン（Ａ１、Ａ２）からなり、それぞれのシーンは各々二つのカット（Ａ１＿１、Ａ１＿２、Ａ２＿１、Ａ２＿２）からなっているものとする。また、シナリオＢは三つのシーン（Ｂ１、Ｂ２、Ｂ３）からなり、それぞれのシーンは各々三つのカット（Ｂ１＿１、Ｂ１＿２、Ｂ１＿３、Ｂ２＿１、Ｂ２＿２、Ｂ２＿３、Ｂ３＿１、Ｂ３＿２、Ｂ３＿３）からなっているものとする。また、シナリオＣは四つのシーン（Ｃ１、Ｃ２、Ｃ３、Ｃ４）からなり、それぞれのシーンは各々四つのカット（Ｃ１＿１、Ｃ１＿２、Ｃ１＿３、Ｃ１＿４、Ｃ２＿１、Ｃ２＿２、Ｃ２＿３、Ｃ２＿４、Ｃ３＿１、Ｃ３＿２、Ｃ３＿３、Ｃ３＿４、Ｃ４＿１、Ｃ４＿２、Ｃ４＿３、Ｃ４＿４）からなっているものとする。
【００５２】
今、シナリオテーブル２１のシナリオＡを選択したとすると、図５に示すように、シナリオテーブル２１からシナリオＡのシナリオ名とシナリオガイダンス（文字ガイダンス、イラストガイダンス）が取り出されるとともに、シーンテーブル２２からシナリオＡの各シーン（Ａ１、Ａ２）のシーン名が取り出され、さらに、カットテーブル２３からそれぞれのシーン（Ａ１、Ａ２）を構成する各カット（Ａ１＿１、Ａ１＿２、Ａ２＿１、Ａ２＿２）のカット名やカットガイダンス（文字ガイダンス、イラストガイダンス）、台詞データ及び撮影条件データが取り出される。
【００５３】
同様に、シナリオテーブル２１のシナリオＢを選択したとすると、図６に示すように、シナリオテーブル２１からシナリオＢのシナリオ名とシナリオガイダンス（文字ガイダンス、イラストガイダンス）が取り出されるとともに、シーンテーブル２２からシナリオＢの各シーン（Ｂ１、Ｂ２、Ｂ３）のシーン名が取り出され、さらに、カットテーブル２３からそれぞれのシーン（Ｂ１、Ｂ２、Ｂ３）を構成する各カット（Ｂ１＿１、Ｂ１＿２、Ｂ１＿３、Ｂ２＿１、Ｂ２＿２、Ｂ２＿３、Ｂ３＿１、Ｂ３＿２、Ｂ３＿３）のカット名やカットガイダンス（文字ガイダンス、イラストガイダンス）、台詞データ及び撮影条件データが取り出される。
【００５４】
同様に、シナリオテーブル２１のシナリオＣを選択したとすると、図７に示すように、シナリオテーブル２１からシナリオＣのシナリオ名とシナリオガイダンス（文字ガイダンス、イラストガイダンス）が取り出されるとともに、シーンテーブル２２からシナリオＣの各シーン（Ｃ１、Ｃ２、Ｃ３、Ｃ４）のシーン名が取り出され、さらに、カットテーブル２３からそれぞれのシーン（Ｃ１、Ｃ２、Ｃ３、Ｃ４）を構成する各カット（Ｃ１＿１、Ｃ１＿２、Ｃ１＿３、Ｃ１＿４、Ｃ２＿１、Ｃ２＿２、Ｃ２＿３、Ｃ２＿４、Ｃ３＿１、Ｃ３＿２、Ｃ３＿３、Ｃ３＿４、Ｃ４＿１、Ｃ４＿２、Ｃ４＿３、Ｃ４＿４）のカット名やカットガイダンス（文字ガイダンス、イラストガイダンス）、台詞データ及び撮影条件データが取り出される。
【００５５】
（シナリオによる画像撮影）  
図７は、シナリオによる画像撮影時の制御部１０の制御動作例を示すフローチャートであり、シナリオによる画像撮影プログラムの動作に相当する。以下、本実施形態に係わるシナリオによる画像撮影時の動作について図７と、図１および図３〜図６を基に説明する。
なお、下記図７のフローチャートにおいて、表示された台詞（文字列）を補正するためのステップＳ８、Ｓ９は必須ではない。
【００５６】
シナリオによる画像撮影モードが選択されると、制御部１０は演者カウンタＪの値を１に設定すると共に、一次記憶メモリ１６に確保される特徴データ保持領域１６１および台詞データ等保持領域１６２をクリアし（ステップＳ１）、スルー画像の表示を開始する（ステップＳ２）。
【００５７】
制御部１０は、シナリオ選択操作を検出するとシナリオ選択およびカットガイダンス表示処理を行う。シナリオ選択およびカットガイダンス表示処理動作については後述する（図８参照）（ステップＳ３）。
【００５８】
カットガイダンスが表示されると、撮影者はシナリオやカットガイダンスを参照して最適なカメラアングルの決定等の撮影準備を行なう。そして、シナリオやカットガイダンスに示す演者がそのカット画面に存在する場合は、演者に台詞を関連付けるために演者指定操作（例えば、ＳＥＴキー６３の押し下げ操作）を行うので、制御部１０は、演者指定操作を検出するとステップＳ５に進み、そうでない場合はステップＳ１５に進む（ステップＳ４）。
【００５９】
制御部１０は、合焦領域（カメラ中央に示される矩形領域）に表示されている画像を演者として画像認識処理部１３に演者の特定部分（人物、動物の場合は顔部分）について画像認識処理を行わせ、画像認識処理部１３によって抽出された特定部分の特徴を一次記憶メモリ１６に確保されている特徴データ保持領域１６１のうちＪ番目の領域に保持（記憶）する（ステップＳ５）。
【００６０】
制御部１０は、演者に対応付けて吹き出し枠を表示する。本実施例では吹き出し枠は演者が人物または動物の場合は口元に表示し、その他の場合はその近傍に表示しているがこれに限定されない。なお、口元に吹き出し枠を表示し、吹き出し枠内に文字列を表示するには公知の技術（例えば、特許文献２（特許第３７１１４１８号）や特許第３０７０９６号に開示の技術）を適宜用いることができる（ステップＳ６）。
【００６１】
制御部１０は、シナリオ用データベース２０から台詞データフィールド２３−５に格納されている現在撮影中のカット（シーン）の台詞（文字列）を取り出してステップＳ６で表示した吹き出し枠の中に表示すると共に吹き出し枠の吹き出し位置、サイズ、および吹き出し文字列等を文字列保持領域１６２のうちのＪ番目の領域に保持する（ステップ７）。
【００６２】
吹き出し枠内に表示されている台詞補正の要否を問うメッセージを画面の所定領域（例えば、画面下部）に表示し、撮影者が台詞補正を要する旨の指示（例えば、ＳＥＴキー６３の押し下げ）を行ったか否かを調べ、台詞補正を要する旨の指示があった場合はステップＳ９に進み、そうでない場合（例えば、所定時間経過するか他のキーが操作された場合）はステップＳ１０に進む（ステップＳ８）。
【００６３】
台詞補正処理を実行し、ステップＳ８に戻る。台詞補正処理動作については後述する（図９参照）（ステップＳ９）。
【００６４】
次に、制御部１０は、次の演者指定操作（例えば、ＳＥＴキー６３の押し下げ操作）の有無を調べ、演者指定操作を検出するとステップＳ９に進み、そうでない場合（例えば、所定時間経過するか他のキーが操作された場合）はステップＳ１５に進む（ステップＳ１０）。
【００６５】
演者指定操作を検出すると、制御部１０は、合焦領域（カメラ中央に示される矩形領域）にある画像を演者として画像認識処理部１３に特定部分（人物、動物の場合は顔部分）について画像認識処理を行わせ、画像認識処理部１３によって抽出された特定部分の特徴を一次記憶メモリ１６の特徴データ保持領域１６１のうちＪ番目の領域に確保されている特徴データと比較し（ステップＳ１１）、類似度が所定の閾値を超えた場合はステップＳ１３に進み、所定の閾値以下の場合はステップＳ１５に進む（ステップＳ１２）。
【００６６】
類似度が所定の閾値を超えた場合は、制御部１０は、指定された演者がすでに指定済みの演者の被写体と同一被写体と判定して抽出された特定部分の特徴を一次記憶メモリ１６の特徴データ保持領域１６１のうちＪ番目の領域に確保されている特徴データに上書きする（ステップＳ１３）。
【００６７】
制御部１０は、演者カウンタＪの値に１を加えてステップＳ４に戻る。これにより、新たな演者に文字列を関連付けるための処理を開始できる（ステップＳ１４）。
【００６８】
シャッターキー６５が操作されたか否かを調べ、シャッターキー６５の操作がされていない場合はステップＳ８に戻る。なお、ステップＳ８、Ｓ９を設けない場合はシャッターキー６５の操作がされるまで待つようにする（ステップＳ１５）。
【００６９】
シャッターキー６５が半押し操作されるとオートフォーカス処理を行なう。オートフォーカス終了後、シャッターキー６５が全押し操作されると撮影処理を実行し、撮影された画像の各演者に吹き出しを視覚的に関連付けることができるように、一次記憶メモリ１６の吹き出し文字等保持領域１６２の各領域に保持（記憶）されている吹き出し枠の吹き出し位置や吹き出し枠のサイズに基づいて吹き出し文字を撮影画像に合成（たとえば、吹き出し枠および吹き出し文字を撮影画像に上書きするように合成）し、記録部１８を制御して記録媒体に記録し、１カット枚分の画像の撮影を終了する（ステップＳ１６）。
【００７０】
なお、上記図７のステップＳ１６の後に、「制御部１０は、送信指示があると通信制御プログラムの制御により合成されたシナリオによる撮影画像を外部入出力部５０を介してインターネット上のウエブサイトに送信する」ステップを設けるようにしてもよい。
【００７１】
図８は、図７のステップＳ３（シナリオ選択およびカットガイダンス表示処理）の詳細な動作を示すフローチャートである。
【００７２】
制御部１０は、シナリオ選択操作を検出すると、あらかじめシナリオ用データベース２０に保存されているシナリオテーブル２１のすべてのシナリオ名を液晶モニタ１７３の画面上に選択可能にリスト表示して撮影者にシナリオの選択を促し（ステップＳ３−１）、撮影者によるシナリオの選択を検出するとステップＳ３−３に進む。シナリオの選択は例えばカーソルキー６２によるシナリオの指定操作およびＳＥＴキー６３による確定操作によって行うことができる（ステップＳ３−２）。
【００７３】
制御部１０は上記ステップＳ３−２の撮影者のシナリオ選択操作により選択されたシナリオに従い該当する文字ガイダンスや絵コンテ（イラスト）をシナリオ用データベース２０のカットガイダンスフィールド２３−４から取り出して液晶モニタ１７３の所定の箇所（実施例では画面の下側）に表示して演者等の選択を促し、図７のステップＳ４に進む（ステップＳ３−３）。これにより撮影者は表示される文字ガイダンスや絵コンテに基づいてカット（シーン）単位に撮影操作を行うことができる。
【００７４】
図９は、図７のステップＳ９（表示されている台詞（文字列）の補正処理）の詳細な動作を示すフローチャートである。
【００７５】
台詞補正を要する旨の指示があった場合は、制御部１０は、液晶モニタ１７３の画面の所定領域（例えば画面下部）に撮影者に台詞の補正位置の指定を促すメッセージを表示する（ステップＳ９−１）。
【００７６】
撮影者は表示されている台詞のうちの補正したい位置（先頭に文字を追加する場合は先頭部分、後尾に追加したい場合は後尾部分、置換したい場合はその部分（図１０（ｂ）の例では符号１０４で示す部分）をカーソルキー６２を動かして指定するので、制御部１０は画面上の位置（座標）を一次記憶メモリ１６の所定領域に保持する（ステップＳ９−２）。
【００７７】
次に、台詞補正用データベースから補正文字列を取り出すためのキーの選択を促すメッセージ１０５とキー選択欄１０６（図１０参照）を表示する。キーとしては、例えばキー選択欄１０６に五十音のうちの１文字をスクロール可能に表示し、カーソル操作により１文字キーを選択するように構成できる（ステップＳ９−３）。
【００７８】
撮影者がキー選択欄１０１で補正文字の先頭をキーとして選択すると、選択された１文字をキーとして台詞補正用データベース１４を検索し、補正文字列候補（一個または複数個の、単語、接頭語、接尾語等）を画面の所定位置に表示し選択を促す（ステップＳ９−４）。
【００７９】
撮影者は上記ステップＳ９−４で表示された文字列から所望の文字列を得るためにカーソルキー６２を操作して、文字列選択や連想検索等による文字列絞込み処理により所望の文字列を選択する（ステップＳ９−５）。
【００８０】
所望の文字が確定すると確定キー（本実施形態では、ＳＥＴキー６３）を押すので、制御部１０は、確定キーの押し下げを検出すると、その文字列を台詞補正文字列とし、上記ステップＳ９−２で指定した補正位置に上書き表示して台詞を補正し、ステップＳ７に戻る（Ｓ９−６）。
【００８１】
上記図７〜図９のフローチャートに示した動作により、撮影者は表示されるシナリオガイダンスや絵コンテに基づいて撮影操作を行うことができる。
また、デジタルカメラ１００は、撮影者が選択したシナリオに基づいて、撮影時に撮影者が演者として指定した被写体画像に台詞を視覚的に関連付けたシナリオによる撮影画像を生成することができる。また、ステップＳ１０以下の動作により、複数の演者を指定し、それぞれ言葉（文字列）を視覚的に関連付けることもできる。
【００８２】
また、図７のステップＳ７、Ｓ８を設けることにより台詞の補正ができるので、画面がシナリオに沿って入るものの、そのときの演者の様子や撮影者の気分で、予めシナリオ用データベース２０に登録されている台詞を少し変更したり、アドリブを入れたい場合や、場面に応じた台詞をいれたい場合などに便利である。
【００８３】
なお、図８に示したフローチャートでは、演者指定操作手段としてＳＥＴキー６３を用い、ＳＥＴキー６３が押されたときにステップＳ３およびステップＳ８でカメラの合焦領域にある画像を演者とするように構成したが、演者指定操作手段はＳＥＴキー６３に限定されない。例えば、シャッターキー６５を演者指定操作手段として用いるようにしてもよい。
【００８４】
また、カメラの合焦領域にある画像を演者とするのではなく、カーソルキー６２によってカーソルを画面中の所望の画像部分に移動させ、ＳＥＴキー６３等の演者決定操作手段の操作があるとカーソルが位置している画像を演者とするようにしてもよい。
【００８５】
図８に示したフローチャートでは図１０に示すように文字列の表示位置を演者の口元（演者が風景や建造物の場合は近傍）とし、吹き出し枠内に表示するようにしたがこれに限定されず、画面上の所定の位置（例えば、演者の頭上、口元、文字表示領域内（画面上で画像表示領域と別に設けた文字表示領域等）でもよい。
【００８６】
図１０は、演者に対応付けた台詞の吹き出表示例および表示された台詞の補正例を示す図である。
図１０で、（ａ）は演者に対応付けて表示される吹き出し枠１０２内に台詞１０３を表示した例、（ｂ）は台詞の補正位置１０４の指定例およびキー選択のメッセージ１０５、キー選択欄１０６、スクロール指示ボタン１０７、確認ボタン１０８の表示例、（ｃ）は選択した補正文字列によって補正された台詞の例を示し、この例では、「いいお天気！」という台詞の先頭に「すばらしく」という文字列が追加され「すばらしくいいお天気！」という台詞１０９が表示されている。
【００８７】
＜実施形態２＞  
上記実施形態１の台詞補正処理（図７のステップＳ９（図９のフローチャート））の例では、撮像装置が音声入力部を備えていない例を示したが、撮像装置を音声入力部を備えるように構成し、音声／文字変換部（若しくは音声／文字変換プログラム）により、入力した音声を文字に変換して演者に関連付けて表示されている台詞を補正することができる。
【００８８】
図１１は、実施形態２に係わるデジタルカメラの内部構成例を示すブロック図であり、
デジタルカメラ２００の内部構成は、実施形態１（図１）で示したデジタルカメラ１００の構成に音声入出力部３１および音声／文字変換部３２を付加した構成（台詞補正用データベース１４は不要）でよい。
【００８９】
音声入出力部３１はデジタルカメラ２００の液晶モニタ１７３側に設けられたマイクロフォンであり、入力した音声を音声信号に変換して文字列音声／文字変換部３２に出力する。音声／文字変換部３２は音声入力部３１から入力した音声信号を一音節ごとに音声認識処理により認識して対応する文字列を出力する。
【００９０】
このような音声入出力部３１および音声／文字変換部３２を設けることにより、シナリオによる画像撮影モードにおける台詞補正を簡単に行うことができる。
【００９１】
具体的には、図７のフローチャートのステップＳ９（つまり、図９のステップＳ９−３、〜Ｓ９−５を、「撮影者は台詞補正用データベース１４から所望の補正用文字列を得るために音声を発するので、制御部１０は音声／変換部３１をオンにして音声入力部３１からの入力音声信号を音声認識し、出力された文字列を画面の所定位置に表示し確認を促す（ステップＳ９−３）。」ように構成し、ステップＳ９−６を「撮影者は、表示された文字列が所望の文字列の場合は確定キー（本実施形態では、ＳＥＴキー６３）を押すので、制御部１０は、確定キーの押し下げを検出すると、その文字列を台詞補正文字列とし、上記ステップＳ９−２で指定した補正位置に上書き表示し、ステップＳ７に戻る。また、表示された文字列が所望の文字列でない場合は、音声の再入力を促すメッセージを表示してステップＳ９−３に戻る（Ｓ９−４）。」ように構成すればよい。
【００９２】
このように、補正用文字列を音声入力部からの入力音声に基づいて行うよう構成することにより、カーソル操作で補正文字列を取得する場合に比べ簡単に補正文字列を取得して台詞を補正できる。
＜実施形態３＞  
【００９３】
上記実施形態２では、撮像装置が文字入力装置を備えていない例を示したが、撮像装置を文字入力装置を備えるように構成し、入力した補正用文字列で台詞を補正することもできる。例えば、携帯電話の文字キーを用いてカーソル指定された位置から文字を入力するようにすれば撮影者の思い通りに補正できる。また、音声入力部（マイクロフォン３４５）や無線送信部３３１も元々備わっているので、音声による補正文字列の取得はカメラの場合より構造的に容易であり、ウエブサイトにシナリオによる撮影画像を送信する際にも予めウエブサイトのＵＲＬを登録しておけば、送信指示キーを押すだけでウエブサイトに送信できる。
【００９４】
図１２は、本実施形態に係わるカメラ付き携帯電話機３００の内部構成例を示すブロック図であり、携帯電話機３００は、無線送受信部３３１、無線信号処理部３３２、制御部３３３、キー入力部３３４、ドライバ３３７、表示部３３８、加入者情報記憶部３３９、ＲＯＭ３４０、一時記憶メモリ３４１、記憶部３４２、音声信号処理部３４３、スピーカ３４４、マイクロフォン３４５、ドライバ３４６、スピーカ３４７、バイブレータ３４８に加え、撮像部３３５、画像データ処理部３３６、音声／文字変換部３５１、および台詞シナリオ用データベース３５２を備えている。また、撮像部３３５および画像データ処理部３３６は本発明の撮像系を構成する。
【００９５】
無線送受信部３３１は無線によりアンテナ３１１を介して音声信号やデータを送受する。
無線信号処理部３３２は無線送受信部３３１で受信した音声信号やデータを復調したり、無線送受信部３３１から送信する音声信号やデータを変調するなどの無線通信に必要な処理を行う。
【００９６】
制御部３３３は、図２に示した各内部構成要素を総括し、ＲＯＭ４０に格納されている制御プログラム及び動作プログラムや、撮像制御プログラム、画像処理プログラム、等の各種プログラムにより、各内部構成要素の動作を制御する。動作プログラムにはモード選択プログラム、本発明に係わる画像認識プログラムおよびシナリオによる画像撮影プログラムを含んでいる。
【００９７】
キー入力部３３４は、電源キー、テンキー、送受信開始キー、送受信停止キー、カーソルキー、取り消しキー、決定キー、シャッターキー等の各種キーを含みこれらのキーが操作されると対応する信号が制御部３３３に送出される。カーソルキーは実施形態１（図１参照）のカーソルキー６２に、決定キーはＳＥＴキー６３に、シャッターキーはシャッターキー６６に相当する。
【００９８】
撮像部３３５は、撮像素子、信号変換部、撮像タイミング制御部や撮影補助光源等を含む撮像信号系（図示せず）を有しており、撮像レンズを経由し、撮像レンズの撮像光軸後方に配置された撮像素子に入射した被写体光像は撮像素子によって光電変換され撮像信号（アナログ）として出力される。撮像素子の出力信号は信号変換部で相関二重サンプリングおよびゲイン調整され、Ａ／Ｄ変換によりデジタル信号に変換される。Ａ／Ｄ変換された撮像信号は所定の周期で画像データ処理部３３６に送られる。
【００９９】
画像データ処理部３３６は、撮像部３３５から出力されたデジタル信号（画像データ）に対して画像補間処理及びγ補正処理を含むカラープロセス処理を行ってデジタル値の輝度信号Ｙ及び色差信号Ｃｂ、Ｃｒを生成し、ＲＡＭ等の一時記憶メモリ３４１にバスを介してＤＭＡ転送する。
【０１００】
ドライバ３３７は表示部３３８を駆動し、画像及びデータを表示させる。また、加入者情報記憶部３３９は携帯電話機３００を呼び出すための電話番号やユーザ（加入者）のＩＤ等、プロフィールデータを格納する。
【０１０１】
ＲＯＭ３４０は制御部の動作プログラムが記録されたプログラム格納用メモリであり、ＲＯＭ４０には制御プログラム及び動作プログラム、本発明に基づくシナリオによる画像撮影プログラムや、撮像制御プログラム、画像処理プログラム、等の各種プログラムを格納し、処理段階に応じて呼び出され制御部１０によって実行される。また、動作プログラムにはモード選択プログラムが含まれている。また、上述した画像認識処理部３３を設けることなくプログラム格納メモリ１５に画像認識処理のための画像認識処理プログラムを格納するようにしてもよい。
【０１０２】
一時記憶メモリ３４１はＤＲＡＭ等のメモリで構成され、無線通信端末として必要な各種データを記憶し、且つ制御部３３３が動作する上で必要なプログラムやデータを記憶する。また、一時記憶メモリ３４１は撮影モードおよびシナリオによる画像撮影モードでは、画像データ処理部３３６から取得する画像データを一時記憶するバッファメモリや、画像認識処理部３４９による演者の顔画像抽出処理用のワークメモリや、シナリオによる画像撮影用のワークメモリ等、各種プログラムによるデータ処理に必要なワークメモリとして用いられる。
【０１０３】
シナリオによる画像撮影モードにおいて、一時記憶メモリ３４１には、シナリオによる画像撮影時に用いられる部分領域として、画像認識処理部３４９による認識処理の際、演者から抽出された特定部分（たとえば、人物や動物の場合、顔）の特徴データを保持する特徴データ保持領域および演者に関連付けて合成する文字列を保持しておく文字列保持領域がそれぞれ複数個確保される。また、取得した季節（季節コード）を保持しておく季節データ保持領域も確保される（図１参照）。
【０１０４】
記憶部３４２は無線通信端末として必要な各種データや撮影画像や生成されたシナリオによる撮影画像を記憶する。また、プログラムを記憶することもできる。携帯電話機３００の電源スイッチがオフの場合でも、記憶部３４２には電源が供給され記憶内容が維持される。
【０１０５】
音声信号処理部３４３はマイクロフォン３４５から入力された音声信号を符号化処理したり、無線信号処理部３３２から出力された信号に基づいて音声信号を復号してスピーカ３４７から出力したりする。ドライバ３４６は、スピーカ３４７、バイブレータ３４８を駆動するためのドライバである。
【０１０６】
音声／文字変換部３５１は、マイクロフォン３４５から入力した音声信号を一音節ごとに音声認識処理により認識して対応する文字列を出力する。
【０１０７】
上記カメラ付き携帯電話機３００のキー入力部３３４に設けられている文字入力キーを用いてシナリオによる画像撮影モードでの補正用文字列の取得を簡単に行うことができる。
【０１０８】
具体的には、図７のフローチャートのステップＳ９（つまり、図９のステップＳ９−３、〜Ｓ９−５を、「撮影者は台詞補正用データベース１４から所望の補正用文字列を得るために文字入力キーを操作して所望の文字列を入力するので、制御部１０は入力された文字列を画面の所定位置に表示し確認を促す（ステップＳ９−３）。」ように構成し、ステップＳ９−６を「撮影者は、表示された文字列が所望の文字列の場合は確定キー（本実施形態では、ＳＥＴキー６３）を押すので、制御部１０は、確定キーの押し下げを検出すると、その文字列を台詞補正文字列とし、上記ステップＳ９−２で指定した補正位置に上書き表示し、ステップＳ７に戻る。また、表示された文字列が所望の文字列でない場合は、音声の再入力を促すメッセージを表示してステップＳ９−３に戻る（Ｓ９−４）。」ように構成すればよい。
【０１０９】
このように構成することにより、図１２に示したカメラ付き携帯電話機３００のシナリオによる画像撮影モードでは、、撮影者は、演者指定、出力された台詞（文字列）の確認操作といった簡単な操作でシナリオ撮影画像を生成することができる。また、台詞を補正したい場合は、補正箇所の指定、補正用文字列の入力、補正された台詞（文字列）の確認操作といった簡単な操作で台詞を補正して所望の台詞にすることができる。生成されたシナリオによる撮影画像をまた、送信指示キーを押すだけでウエブサイトに送信できる。
【０１１０】
まなお、表示部３３８に表示される演者の台詞の補正を入力装置からの入力音声に基づいて行うようにしてもよい（実施形態２参照）。
【図面の簡単な説明】
【０１１１】
【図１】本発明の実施形態に係わる撮像装置の一実施例として用いるデジタルカメラの電子回路の構成例を示すブロック図である。
【図２】プログラム格納メモリに格納されているプログラムの例を示す図である。
【図３】シナリオ用データベースの構成例を示す図である。
【図４】シナリオ用データベースからのデータ取り出しの概念図である。
【図５】シナリオ用データベースからのデータ取り出しの概念図である。
【図６】シナリオ用データベースからのデータ取り出しの概念図である。
【図７】シナリオによる画像撮影時の制御部の制御動作例を示すフローチャートである。
【図８】シナリオ選択およびカットガイダンス表示処理の詳細な動作を示すフローチャートである。
【図９】表示されている台詞（文字列）の補正処理の詳細な動作を示すフローチャートである。
【図１０】演者に対応付けた台詞の吹き出表示例および表示された台詞の補正例を示す図である。
【図１１】実施形態２に係わるデジタルカメラの内部構成例を示すブロック図である。
【図１２】実施形態３に係わるカメラ付き携帯電話機の内部構成例を示すブロック図である。
【符号の説明】
【０１１２】
１０，３３３  制御部
１１，３３５  撮像部
１２，３３６  画像データ処理部
１３、３４９  画像認識処理部
１４  台詞補正用データベース
１５  プログラム格納メモリ
１６、３４１  一時記憶メモリ
１７  画像表示部
１８  画像記録部
２０、３５２  シナリオ用データベース
３１  音声入力部
３２、３５１  音声／文字変換部
４０  外部入出力部
６０  操作部
１００、２００  デジタルカメラ
３００  カメラ付き携帯電話機
３４５  マイクロフォン
【図１】
0005023932.tif 000002
【図２】
0005023932.tif 000003
【図３】
0005023932.tif 000004
【図４】
0005023932.tif 000005
【図５】
0005023932.tif 000006
【図６】
0005023932.tif 000007
【図７】
0005023932.tif 000008
【図８】
0005023932.tif 000009
【図９】
0005023932.tif 000010
【図１０】
0005023932.tif 000011
【図１１】
0005023932.tif 000012
【図１２】
0005023932.tif 000013